(57)【要約】【課題】予備配線を用いてフラットパネルディスプレイの修正を行うに際し、修正が容易にできるフラットパネルディスプレイ用の基板もしくはフラットパネルディスプレイを提供すること、またはフラットパネルディスプレイの修正方法を提供すること。【解決手段】絵素電極１５７を駆動する複数のスイッチング素子とこれら複数のスイッチング素子にデータ信号を伝送する複数のデータ信号線１１１が設けられるアクティブ領域１１と、このアクティブ領域１１を囲繞するように設けられるパネル額縁領域１２とを備え、前記パネル額縁領域１２には、前記データ信号線１１１が断線した又は断線している場合に断線箇所の基端側と先端側とを電気的に接続できる複数の予備配線１２１，１２２，１２３，１２４，１２５が並列的に設けられるとともに、少なくとも一部の前記予備配線には、他の前記予備配線と区別するための識別部１２６が設けられる。【選択図】図２
2008233506.tif 000002
【特許請求の範囲】
【請求項１】
絵素電極を駆動する複数のスイッチング素子と該複数のスイッチング素子にデータ信号を伝送する複数のデータ信号線が設けられるアクティブ領域と、該アクティブ領域を囲繞するように設けられるパネル額縁領域と、を備え、該パネル額縁領域には、前記データ信号線が断線した又は断線している場合に前記断線した又は断線しているデータ信号線の該断線箇所の基端側と先端側とを電気的に接続できる複数の予備配線が並列的に設けられるとともに、少なくとも一部の前記予備配線には、他の前記予備配線と区別するための識別部が設けられることを特徴とするフラットパネルディスプレイ用の基板。
【請求項２】
前記識別部は、前記予備配線に所定の間隔をおいて連続的又は間歇的に突起する凸状のパターンであることを特徴とする請求項１に記載のフラットパネルディスプレイ用の基板。
【請求項３】
前記識別部が設けられる予備配線と、前記識別部が設けられない予備配線とが、一対の組をなすことを特徴とする請求項１または請求項２に記載のフラットパネルディスプレイ用の基板。
【請求項４】
前記識別部が設けられる複数の予備配線と、前記識別部が設けられない複数の予備配線とが交互に並列的に設けられることを特徴とする請求項１または請求項２に記載のフラットパネルディスプレイ用の基板。
【請求項５】
前記複数の予備配線の一端側は、前記アクティブ領域の外周の一辺に沿うように設けられるとともに、前記複数の予備配線の他端側は、前記アクティブ領域の外周の前記一辺に対向する辺に沿うように設けられることを特徴とする請求項１から請求項４のいずれかに記載のフラットパネルディスプレイ用の基板。
【請求項６】
前記予備配線と前記データ信号線とは、電気的な絶縁層を挟んで重畳している部分を有することを特徴とする請求項１から請求項５のいずれかに記載のフラットパネルディスプレイ用の基板。
【請求項７】
請求項１から請求項６のいずれかに記載のフラットパネルディスプレイ用の基板と、該フラットパネルディスプレイ用の基板に対向して配設される対向基板とを備え、前記フラットパネルディスプレイ用の基板と前記対向基板とが所定の間隔をおいて略平行に配設されるとともに、前記フラットパネルディスプレイ用の基板と前記対向基板の間に液晶が充填されることを特徴とするフラットパネルディスプレイ。
【請求項８】
前記スイッチング素子を駆動する信号を生成するドライバＩＣが実装されるＴＣＰおよび該ＴＣＰに接続されるプリント基板とをさらに備え、前記予備配線の一部が前記ＴＣＰおよび／または前記プリント配線基板に設けられることを特徴とする請求項７に記載のフラットパネルディスプレイ。
【請求項９】
請求項７又は請求項８に記載のフラットパネルディスプレイの点灯検査を行って前記データ信号線の断線に起因する筋状の表示欠陥があるか否かを判定するステップと、前記断線しているデータ信号線と該断線している予備配線に前記電気的な絶縁層を介して重畳している部分に光エネルギを照射して前記断線しているデータ信号線と前記予備配線とを電気的に接続するステップとを備えるフラットパネルディスプレイの修正工程において、前記断線しているデータ信号線の一端側と前記識別部が設けられる予備配線とを電気的に接続した場合には、前記断線しているデータ信号線の他端側と前記識別部が設けられる予備配線とを電気的に接続し、前記断線しているデータ信号線の一端側と前記識別部が設けられない予備配線とを電気的に接続した場合には、前記断線しているデータ信号線の他端側と前記識別部が設けられない予備配線とを電気的に接続することを特徴とするフラットパネルディスプレイの修正方法。
【発明の詳細な説明】
【技術分野】
【０００１】
本発明は、フラットパネルディスプレイ用の基板、フラットパネルディスプレイおよびフラットパネルディスプレイの修正方法に関するものであり、特に好適には、液晶表示パネルなどのフラットパネルディスプレイ用の基板と、この基板を備えるフラットパネルディスプレイおよびフラットパネルディスプレイの修正方法に関するものである。
【背景技術】
【０００２】
フラットパネルディスプレイのうち、たとえば一般的なアクティブマトリックスタイプの液晶表示パネルは、ＴＦＴアレイ基板と、カラーフィルタなどの対向基板とを備える。そしてこれらのＴＦＴアレイ基板と対向基板とが所定の微小な間隔をおいて対向して（換言すると略平行に）配設され、これらの基板の間に液晶が充填されるという構成を備える。
【０００３】
図７は、ＴＦＴアレイ基板９の構成の従来例を模式的に示した外観斜視図である。このＴＦＴアレイ基板９の片側表面には、アクティブ領域９１が設けられる。このアクティブ領域９１は、複数の絵素電極（微小なため図略）と、これらの絵素電極を駆動するスイッチング素子（微小なため図略）とが、マトリックス状に配列される領域である。そしてさらにこのアクティブ領域９１には、前記各スイッチング素子に所定の信号を伝送するための複数のバスライン（複数のデータ信号線９１１や複数の走査信号線９１２など）が設けられる。
【０００４】
前記アクティブ領域９１の外側の領域９２（本発明においては、この領域を「パネル額縁領域」９２と称することがある。）には、前記各データ信号線９１１に外部からデータ信号を伝送するための引き出し配線９２１、前記各走査信号線９１２に外部からゲート信号を伝送するための引き出し配線９２２、予備配線９２３、およびその他の所定の配線など（図略）が設けられる。
【０００５】
前記予備配線９２３は、一般的には次のような構成と機能とを有する。
【０００６】
例えばあるデータ信号線９１１が、その中間で断線していると、前記引き出し配線９２１（以下説明の便宜上、データ信号線９１１の両端のうち、引き出し配線９２１に接続される側の端部を「基端部」または「基端側」と称し、その反対側端部を「先端部」または「先端側」と称する）から当該断線箇所までの間に設けられるスイッチング素子には、所定のデータ信号を伝送できる。しかし、当該断線箇所よりも先端側に設けられるスイッチング素子には、データ信号を伝送することができない。
【０００７】
したがって、あるデータ信号線９１１に断線が生じていると、当該断線箇所から先端側に設けられる絵素電極には所定の電圧が印加されず、所定の画像を表示することができない。このため、例えばこのＴＦＴアレイ基板９を備える液晶表示パネルがノーマリーブラックタイプの液晶表示パネルであれば、前記断線箇所よりも先端側に存在する絵素は、常に黒色表示をすることになり、結果として黒線状の表示欠陥が現れることになる。
【０００８】
前記のような、データ信号線９１１の断線に起因する黒線状の表示欠陥の解消するため、前記予備配線９２３を用い、前記予備配線９２３を介して前記断線しているデータ信号線９１１の基端側と先端側とを電気的に接続する修正が行われる。このようにすると、前記断線箇所よりも先端側には、予備配線９２３を通じて所定のデータ信号線を伝送できるようになるから、断線箇所よりも先端側に存在する絵素電極にも所定の電圧が印加され、黒線状の表示欠陥は解消する。
【０００９】
予備配線９２３はこのような目的に使用するものであるため、パネル額縁領域９２には、アクティブ領域９１を取り囲むように（換言するとアクティブ領域９１の外周に沿うように）、所定の数の予備配線９２３が並列的に設けられる。なお、複数の予備配線９２３が並列的に設けられることにより、複数のデータ信号線９１１の断線に対応できる。そしてこれらの予備配線９２３は、フラットパネルディスプレイ用の基板の製造後、またはフラットパネルディスプレイの製造後に、所定のデータ信号線９１１の両端において当該データ信号線９１１に電気的に接続できるように構成される。
【００１０】
ところが、複数の予備配線９２３が並列的に設けられる構成であると、予備配線９２３の識別が困難となることがある。すなわち修正工程においては、断線しているデータ信号線９１１の一端において、ある予備配線９２３とデータ信号線９１１とを電気的に接続した後、当該データ信号線９１１の他端において、当該予備配線９２３とも電気的に接続する必要がある。しかしながら、前記のように複数の予備配線９２３が並列に設けられる構成であると、データ信号線９１１の一端において電気的に接続した予備配線９２３が、他端においてはどの予備配線９２３であるのかがわからなくなることがある。この場合には、拡大鏡などを用いて、予備配線９２３をたどっていく必要があり、修正に手間を要することになる。
【００１１】
【特許文献１】特開平８−１７１０８１号公報
【発明の開示】
【発明が解決しようとする課題】
【００１２】
上記実情に鑑み、本発明が解決しようとする課題は、予備配線を用いてフラットパネルディスプレイの修正を行うに際し、修正が容易にできるフラットパネルディスプレイ用の基板もしくはフラットパネルディスプレイを提供すること、またはフラットパネルディスプレイの修正方法を提供することである。
【課題を解決するための手段】
【００１３】
前記課題を解決するため、本発明は、絵素電極を駆動する複数のスイッチング素子と該複数のスイッチング素子にデータ信号を伝送する複数のデータ信号線が設けられるアクティブ領域と、該アクティブ領域を囲繞するように設けられるパネル額縁領域と、を備え、該パネル額縁領域には、前記データ信号線が断線した又は断線している場合に前記断線した又は断線しているデータ信号線の該断線箇所の基端側と先端側とを電気的に接続できる複数の予備配線が並列的に設けられるとともに、少なくとも一部の前記予備配線には、他の前記予備配線と区別するための識別部が設けられることを要旨とするものである。
【００１４】
ここで、前記識別部が設けられる予備配線と前記識別部が設けられない予備配線とが一対の組をなす構成であってもよい。また、前記識別部が設けられる複数の予備配線と、前記識別部が設けられない複数の予備配線とが交互に並列的に設けられる構成であってもよい。
【００１５】
なお、前記複数の予備配線の一端側は、前記アクティブ領域の外周の一辺に沿うように設けられるとともに、前記複数の予備配線の他端側は、前記アクティブ領域の外周の前記一辺に対向する辺に沿うように設けられることが好ましい。
【００１６】
そして前記予備配線と前記データ信号線とは、電気的な絶縁層を挟んで重畳している部分を有することが好ましい。
【００１７】
本発明に係るフラットパネルディスプレイは、前記いずれかのフラットパネルディスプレイ用の基板と、該フラットパネルディスプレイ用の基板に対向して配設される対向基板とを備え、前記フラットパネルディスプレイ用の基板と前記対向基板とが所定の間隔をおいて略平行に配設されるとともに、前記フラットパネルディスプレイ用の基板と前記対向基板の間に液晶が充填されることを要旨とするものである。
【００１８】
ここで、前記スイッチング素子を駆動する信号を生成するドライバＩＣが実装されるＴＣＰおよび該ＴＣＰに接続されるプリント基板とをさらに備え、前記予備配線の一部が前記ＴＣＰおよび／または前記プリント配線基板に設けられる構成であってもよい。
【００１９】
本発明にかかるフラットパネルディスプレイの修正方法は、フラットパネルディスプレイの点灯検査を行って前記データ信号線の断線に起因する筋状の表示欠陥があるか否かを判定するステップと、前記断線しているデータ信号線と該断線している予備配線に前記電気的な絶縁層を介して重畳している部分に光エネルギを照射して前記断線しているデータ信号線と前記予備配線とを電気的に接続するステップとを備える。そして前記断線しているデータ信号線の一端側と前記識別部が設けられる予備配線とを電気的に接続した場合には、前記断線しているデータ信号線の他端側と前記識別部が設けられる予備配線とを電気的に接続し、前記断線しているデータ信号線の一端側と前記識別部が設けられない予備配線とを電気的に接続した場合には、前記断線しているデータ信号線の他端側と前記識別部が設けられない予備配線とを電気的に接続することを要旨とするものである。
【発明の効果】
【００２０】
本発明によれば、データ信号線の断線に起因する表示欠陥を修正するに際し、断線したまたは断線しているデータ信号線の一端側と電気的に接続される予備配線が、当該データ信号線の他端側に存在する複数の予備配線のいずれであるかが容易に識別できる。すなわち、前記断線した又は断線しているデータ信号線の他端側において電気的に接続すべき予備配線を容易に識別できる。したがって、修正に要する手間を省略することができ、修正の作業効率の向上を図ることができる。
【００２１】
前記識別部が、前記予備配線に所定の間隔をおいて連続的又は間歇的に突起する凸状のパターンであると、拡大鏡などを用いてフラットパネルディスプレイ用の基板を視認するに際して、予備配線の識別が容易となる。
【００２２】
なお、前記識別部が設けられる予備配線と前記識別部が設けられない予備配線とが一対の組をなす構成であっても前記作用効果を奏することができる。また、前記識別部が設けられる複数の予備配線と、前記識別部が設けられない複数の予備配線とが交互に並列的に設けられる構成であっても前記作用効果を奏することができる。
【００２３】
前記予備配線と前記データ信号線とが電気的な絶縁層を挟んで重畳している部分を有すると、この部分に光エネルギを照射することにより電気的な絶縁層を熔解し、前記予備配線と前記データ信号線とを電気的に接続することができる。
【００２４】
ここで、予備配線の一部が前記ＴＣＰおよび／または前記プリント配線基板に設けられる構成とすれば、本発明にかかるフラットパネルディスプレイ用の基板に設けられる他の配線との干渉を防止することができる。
【発明を実施するための最良の形態】
【００２５】
以下に、本発明の実施形態について、図面を参照して詳細に説明する。
【００２６】
図１は、本発明の実施形態にかかるフラットパネルディスプレイ用の基板に、ドライバＩＣ（ソースドライバ２１１またはゲートドライバ２２１）が実装されるＴＣＰ２１，２２（Tape Carrier Package）およびプリント配線基板が接続された状態を示した平面模式図である。なお、フラットパネルディスプレイ用の基板またはフラットパネルディスプレイにＴＣＰ２１，２２やプリント配線基板が接続された組立体を、説明の便宜上「パネル組立体」と称する。
【００２７】
図１に示すように、本発明の実施形態にかかるフラットパネルディスプレイ用の基板は、アクティブ領域１１とパネル額縁領域１２とを有する。
【００２８】
アクティブ領域１１には、複数の絵素電極１５７（微小なため図略。具体的には、導電性を有し、所定の形状に形成される透明な薄膜）と、各絵素電極１５７を駆動する（各絵素電極１５７に所定の電圧を印加する）スイッチング素子（微小なため図略。具体的には例えば薄膜トランジスタなど）とが、それぞれマトリックス状に配列される。
【００２９】
さらにアクティブ領域１１には、各スイッチング素子のソース電極１５２にデータ信号を伝送できる複数のデータ信号線１１１（他に「ソース信号線」、「ソースバスライン」などと呼ばれることもある）が、互いに略平行に設けられる。また、各スイッチング素子のゲート電極１５１に走査信号を伝送できる複数の走査信号線１１２（他に「ゲート信号線」、「ゲートバスライン」などと呼ばれることがある）が、互いに平行に、かつ前記データ信号線１１１に略直交するように設けられる。このほか、絵素電極１５７に補助的に電荷を与える補助容量バスラインが設けられることがある（図略）。
【００３０】
アクティブ領域１１の外側の領域、すなわちパネル額縁領域１２には、各データ信号線１１１から引き出される配線（以下、これらの配線を「データ引き出し配線」と称することがある）と、各走査信号線１１２から引き出される配線（以下、これらの配線を「走査引き出し配線」と称することがある）と、予備配線とが設けられる。
【００３１】
各データ引き出し配線の一端は、アクティブ領域１１とパネル額縁領域１２との境界近傍に設けられるコンタクト部（図略）に位置し、このコンタクト部において、所定のデータ信号線１１１の基端部と所定のデータ引き出し配線の一端とが電気的に接続する。また、各データ引き出し配線の他端は、本発明の実施形態にかかるフラットパネルディスプレイ用の基板の外縁近傍（すなわち、パネル額縁領域１２の外縁近傍）に設けられる端子部（図略）に位置する。そしてこの端子部において、ソースドライバ２１１が実装されるＴＣＰ２１を接続するためのランドに電気的に接続する。換言すると、各データ引き出し配線の他端が、ソースドライバ２１１が実装されるＴＣＰ２１を接続するためのランドを形成する。
【００３２】
このように、各データ引き出し配線は、ソースドライバ２１１が生成するデータ信号を、所定のデータ信号線１１１に伝送するための電気的な経路となる。
【００３３】
データ引き出し配線は、所定の数ごとに一纏まりの配線の束（配線のグループ）を形成する。そして本発明の実施形態にかかるフラットパネルディスプレイ用の基板のパネル額縁領域１２には、これらのデータ引き出し配線の束が、所定の間隔をおい配列される。各データ引き出し配線の束に含まれるデータ引き出し配線は、一端（コンタクト部側）から他端（基板の外縁側）に向かうにしたがって、次第に集束するような形状を有する。換言すると各データ引き出し配線の束は、コンタクト部から端子部に向かって先細りの形状を有する。
【００３４】
そしてこの図から明らかなように、本発明の実施形態にかかるフラットパネルディスプレイ用の基板に設けられるスイッチング素子は、それぞれ所定のＴＣＰ２１に実装されるソースドライバ２１１が生成する信号により駆動する。
【００３５】
すなわち、一つの束に含まれるデータ引き出し配線には、特定の一つのソースドライバ２１１が生成するデータ信号が伝送される。したがって、アクティブ領域１１は、特定の一個のソースドライバ２１１により駆動される領域が配列される構成を備えることになる。以下、一個のソースドライバ２１１により駆動される領域を、説明の便宜上「ソースドライバ単位領域」と称することがある。すなわちアクティブ領域１１は、複数の「ソースドライバ単位領域」が配列される構成を有する。
【００３６】
各走査信号線１１２は、アクティブ領域１１内においては互いに略平行に形成される。そしてパネル額縁領域１２においては、データ引き出し配線と同様に、所定の数の走査信号線１１２が一つ配線の束（配線のグループ）を形成する。そして、パネル額縁領域１２の短辺の両方には、走査信号線１１２の束が所定の間隔をおいて配列される。
【００３７】
パネル額縁領域１２内における各走査信号線１１２の束は、アクティブ領域１１とパネル額縁領域１２の境界から本発明の実施形態にかかるフラットパネルディスプレイ用の基板の外縁に向かうにしたがって、次第に集束していく形状を有する。そして、本発明の実施形態にかかるフラットパネルディスプレイ用の基板の外縁において、各走査信号線１１２は、ゲートドライバ２２１が実装されるＴＣＰ２２を接続するための端子部と電気的に接続する。換言すると、各走査信号線１１２の両端は、ゲートドライバ２２１が実装されるＴＣＰ２２を接続するためのランドを形成する。
【００３８】
そしてパネル額縁領域１２、ソースドライバ２１１が実装されるＴＣＰ２１、ソースドライバ２１１が実装されるＴＣＰ２１に接続されるプリント配線基板、ゲートドライバ２２１が実装されるＴＣＰ２２には、予備配線２２２が設けられる。そして予備配線は、全体として、アクティブ領域１１を取り囲むように、またはアクティブ領域１１の外縁に沿うように形成される。
【００３９】
図１に示すように、本発明の実施形態にかかるフラットパネルディスプレイ用の基板に設けられる予備配線は、第一の部分１２１と、第二の部分１２２と、第三の部分１２３と、第四の部分１２４と、第五の部分１２５とを有する。
【００４０】
予備配線の第一の部分１２１は、ソースドライバ２１１が実装されるＴＣＰ２１が装着される辺に設けられる。そして互いに隣接する二個のソースドライバ単位領域の外縁に沿うように、二本で一組の予備配線が形成される。すなわち、ソースドライバ単位領域Ｓ１，Ｓ２，Ｓ３，Ｓ４，・・・，が配列される構成において、互いに隣接するソースドライバ単位領域Ｓ１，Ｓ２の外縁に沿う部分、互いに隣接するソースドライバ単位領域Ｓ３，Ｓ４の外縁に沿う部分、・・・、というように、二本で一組の予備配線が略平行に設けられるとともに、これら二本の予備配線がアクティブ領域１１の外縁に沿って直列的に配列される。そして、二本で一組の予備配線のうちの一方に、識別部が設けられる。識別部については後述する。
【００４１】
なお、本実施形態においては、二本で一組の予備配線が設けられる構成を示したが、一組中に含まれる予備配線の数は限定されるものではない。すなわち、複数で一組の予備配線の束を構成し、各予備配線にそれぞれを識別できるような識別部が設けられるような構成であればよい。この場合には、各予備配線ごとに識別部のパターンを変更する構成や、識別部が設けられる予備配線と識別部が設けられない予備配線とを交互に並列的に形成する構成が適用できる。
【００４２】
なお、各第一の部分１２１における二本の配線は、電気的に接続していない。また、これら予備配線の第一の部分１２１は、絶縁膜を介してデータ信号線（厳密にはデータ引き出し配線）と交差しており、通常の状態においてはデータ引き出し配線とも電気的に接続していない。
【００４３】
予備配線の各第一の部分１２１は、ソースドライバ２１１が実装される各ＴＣＰ２１に設けられ予備配線２１２に電気的に接続される。同様に、ソースドライバ２１１が実装される各ＴＣＰ２１においても、予備配線２１２どうしは電気的に接続していない。そしてソースドライバ２１１が実装される各ＴＣＰ２１の予備配線２１２は、プリント配線基板２３に設けられる予備配線２３１に電気的に接続される。プリント配線基板２３に設けられる予備配線２３１は、ソースドライバ２１１が実装される特定のＴＣＰ２１（図１においては、左右両端に接続されるＴＣＰ）に設けられる予備配線２１２を通じて、本発明の実施形態にかかるフラットパネルディスプレイ用の基板に設けられる予備配線の第二の部分１２２の一端に電気的に接続される。
【００４４】
予備配線の第二の部分１２２は、前記第一の部分１２１から引き出された予備配線が略平行に束状になっている部分である。なお、第二の部分１２２においても、各予備配線は電気的に接続していない。予備配線の第二の部分１２２の他端は、ゲートドライバ２２１が実装される特定のＴＣＰ２２（図１においては、ソースドライバ２１１が実装されるＴＣＰ２１が接続される辺に最も近い位置に接続されるＴＣＰ）に設けられる予備配線２２２に電気的に接続する。換言すると予備配線の第二の部分１２２は、プリント配線基板（またはソースドライバ２１１が実装される特定のＴＣＰ２１）に設けられる予備配線２３１と、ゲートドライバ２２１が実装される特定のＴＣＰ２２に設けられる予備配線２２２とを電気的に接続する。
【００４５】
また、本発明の実施形態にかかるフラットパネルディスプレイ用の基板の外縁のうち、ゲートドライバ２２１が実装されるＴＣＰ２２が装着される辺には、予備配線の第三の部分１２３が設けられる。この第三の部分１２３は、前記第二の部分１２２と略同様の構成を備える。そして、互いに隣接するように装着されるゲートドライバ２２１が実装されるＴＣＰ２２に設けられる予備配線２２２どうしを、電気的に接続する。換言すると、ゲートドライバ２２１が実装されるＴＣＰ２２に設けられる予備配線２２２どうしは、この予備配線２２２の第三の部分１２３によって電気的に接続される。
【００４６】
この結果、予備配線は、本発明の実施形態にかかるフラットパネルディスプレイ用の基板の外周縁のうち、ソースドライバ２１１が実装されるＴＣＰ２１が接続される辺に対向する辺の近傍にまで延設されることになる。
【００４７】
予備配線の第四の部分１２４は、複数の配線が互いに略平行に、かつアクティブ領域１１の外縁に沿うように形成される。第五の部分１２５は、第四の部分１２４から分岐する部分である。そして第五の部分１２５は、アクティブ領域１１の外縁に略平行な部分を有する。
【００４８】
予備配線の第四の部分１２４の一端は、ゲートドライバ２２１が実装される特定のＴＣＰ２２に設けられる予備配線２２２に電気的に接続する。具体的には例えば、ゲートドライバ２２１が実装されるＴＣＰ２２のうち、ソースドライバ２１１が実装されるＴＣＰ２１が装着される辺から最も遠い位置に装着されるＴＣＰの予備配線２２２に電気的に接続する。
【００４９】
そして第四の部分１２４に含まれる各配線の他端は、少なくとも次に示す範囲を越える位置に設けられることが好ましい。なお、後述する第五の部分１２５が次に示す条件を充足するのであれば、必ずしもこのような範囲を越える位置に設けられる必要はない。
【００５０】
ソースドライバ単位領域Ｓ１，Ｓ２の外縁に沿うように形成される第一の部分１２１と電気的に導通している予備配線の第四の部分１２４は、ソースドライバ単位領域Ｓ１，Ｓ２の外縁のうち、予備配線の第一の部分１２１が沿う辺に対向する辺に略平行する範囲が含まれるように設けられる。ソースドライバ単位領域Ｓ３，Ｓ４の外縁に沿うように形成される第一の部分１２１と電気的に導通している予備配線の第四の部分１２４は、ソースドライバ単位領域Ｓ３，Ｓ４の外縁のうち、予備配線の第一の部分１２１が沿う辺に対向する辺に略平行する範囲が含まれるように設けられる。
【００５１】
このように、ソースドライバ単位領域Ｓ２ｎ−１，Ｓ２ｎ（ｎは１以上の整数であり、２ｎは本発明の実施形態にかかるフラットパネルディスプレイ用の基板に設けられるソースドライバ単位領域の数を超えない）の外縁に沿うように形成される第一の部分１２１と電気的に導通している予備配線の第四の部分１２４は、ソースドライバ単位領域Ｓ２ｎ−１，Ｓ２ｎ（ｎは１以上の整数であり、２ｎは本発明の実施形態にかかるフラットパネルディスプレイ用の基板に設けられるソースドライバ単位領域の数を超えない）の外縁のうち、予備配線の第一の部分１２１が沿う辺に対向する辺に略平行する範囲が含まれるように設けられる。
【００５２】
そして、第一の部分に識別部が設けられる予備配線の第四の部分には、識別部が設けられる。この識別部については後述する。なお、本実施形態においては、二本で一組の予備配線が設けられる構成を示しているが、このような構成では、多数の予備配線が束になっている箇所においては、識別部が設けられる予備配線と識別部が設けられない予備配線とが、交互に並列的に設けられることになる。
【００５３】
一方、一組の予備配線に三本以上の予備配線が含まれる構成においては、識別部のパターンが異なる予備配線が所定の順序で並列的に設けられることになる。また、一組の予備配線に三本以上の予備配線が含まれ、識別部が設けられる予備配線と識別部が設けられない予備配線が交互に並列的に形成される構成においては、予備配線が束状になっている箇所においては、識別部が設けられる予備配線と識別部が設けられない予備配線とが、やはり交互に並列的に配列される構成となる。
【００５４】
そして、予備配線の第五の部分１２５が、第四の部分１２４から分岐するように形成される。各第五の部分１２５は、所定のソースドライバ単位領域の第一の部分１２１が設けられる辺に対向する辺に略平行な部分を含む。
【００５５】
具体的には、次のとおりである。
【００５６】
ソースドライバ単位領域Ｓ１，Ｓ２の外縁に沿うように形成される第一の部分１２１と電気的に導通している予備配線の第四の部分１２４から分岐する第五の部分１２５は、ソースドライバ単位領域Ｓ１，Ｓ２の外縁のうち、予備配線の第一の部分１２１が沿う辺に対向する辺に略平行する範囲が含まれるように設けられる。ソースドライバ単位領域Ｓ３，Ｓ４の外縁に沿うように形成される第一の部分１２１と電気的に導通している予備配線の第四の部分１２４から分岐する第五の部分１２５は、ソースドライバ単位領域Ｓ３，Ｓ４の外縁のうち、予備配線の第一の部分１２１が沿う辺に対向する辺に略平行する範囲が含まれるように設けられる。
【００５７】
このように、ソースドライバ単位領域Ｓ２ｎ−１，Ｓ２ｎ（ｎは１以上の整数であり、２ｎは本発明の実施形態にかかるフラットパネルディスプレイ用の基板に設けられるソースドライバ単位領域の数を超えない。図は１０個のソースドライバ単位領域Ｓ１〜Ｓ１０を備える構成を示す。）の外縁に沿うように形成される第一の部分１２１と電気的に導通している予備配線の第四の部分１２４から分岐する第五の部分１２５は、ソースドライバ単位領域Ｓ２ｎ−１，Ｓ２ｎ（ｎは１以上の整数であり、２ｎは本発明の実施形態にかかるフラットパネルディスプレイ用の基板に設けられるソースドライバ単位領域の数を超えない。図は１０個のソースドライバ単位領域Ｓ１〜Ｓ１０を備える構成を示す。）の外縁のうち、予備配線の第一の部分１２１が沿う辺に対向する辺に略平行する範囲が含まれるように設けられる。
【００５８】
そして、各データ信号線１１１と所定の予備配線の第一の部分１２１および第五の部分１２５とは、絶縁膜を介して交差する部分を有する。したがって、通常の状態であれば、各データ信号線１１１と各予備配線との間に電気的な接続はない。このように、すべてのデータ信号線１１１は、その一端が予備配線の第一の部分１２１と絶縁膜を介して交差し、他端も第五の部分１２５と絶縁膜を介して交差する。
【００５９】
図２（ａ）は、予備配線の第一の部分１２１を拡大して示した平面模式図であり、図２（ｂ）は、予備配線の第四および第五の部分１２５を拡大して示した平面模式図である。なお、これらの図は模式図であり、実際の予備配線やデータ信号線１１１の形状を示すものではない。
【００６０】
図２（ａ）に示すように、予備配線の第一の部分１２１に含まれる二本の配線のうち、一本の配線には、識別部１２６が形成される（図２においては、識別部１２６が設けられる第一の部分に符号「１２１ａ」を付し、識別部１２６が設けられない第一の部分に符号「１２１ｂ」を付して区別している）。図２（ａ）においては、当該一本の配線から所定の間隔で略直角方向に凸状の識別部１２６が形成される構成を示す。すなわち、当該予備配線は、複数の凸状の識別部１２６が所定の間隔をおいて連続的又は間歇的に突起する構成を有する。
【００６１】
なお、識別部１２６の形状は、図に示す形状に限定されるものではなく、要は、拡大鏡を用いて観察した場合において、並行する二本（または二本以上）の配線を区別することができるものであればよい。このように、識別部１２６が連続的又は間歇的に設けられる構成であると、予備配線を拡大鏡などで拡大して見る場合において、一個以上の識別部１２６が拡大鏡の視野に入るから、識別部が設けられる予備配線と識別部が設けられない予備配線の識別が容易となる。
【００６２】
一方、予備配線に第四の部分１２４に含まれる配線のうち、前記識別部１２６が形成される配線と電気的に接続している配線にも、識別部１２６が形成される。図２（ｂ）においては、図２（ａ）と同様に、当該一本の配線から所定の間隔で略直角方向に枝状の識別部１２６が突起する構成を示す（図２においては、識別部１２６が設けられる第四の部分に符号「１２４ａ」を付し、識別部１２６が設けられない第四の部分に符号「１２４ｂ」を付して区別している。この例では、図２（ａ）中の識別部１２６が設けられる予備配線１２１ａと、図２（ｂ）中の識別部１２６が設けられる予備配線１２４aのうちの最も上にあるものとが電気的に接続している）。
【００６３】
なお、識別部１２６の形状は、図に示す形状に限定されるものではなく、要は、拡大鏡を用いて観察した場合において、識別部１２６が形成される第一の部分１２１と電気的に接続している配線であるか否かを判別できる構成であればよい。
【００６４】
このような構成によれば、データ信号線１１１の一端と他端とにおいて交差する予備配線（データ信号線１１１の一端において交差する予備配線の第一の部分１２１と、データ信号線１１１の他端において交差する予備配線の第五の部分１２５）とが、電気的に接続している配線であるか否かを簡単に識別することができる。
【００６５】
次に、本発明の実施形態にかかるフラットパネルディスプレイ用の基板の修正方法について、図３を参照して説明する。ここでは、ソースドライバ単位領域Ｓ２に設けられるデータ信号線１１１が、点Ｐにおいて断線しており、基端部側と先端部側とで電気的に接続していない状態を例に用いて示す。
【００６６】
データ信号線１１１がその中間で何らかの原因で断線していると、当該断線箇所Ｐよりも先端側には、正常にデータ信号を伝送できない。すなわち、基端部から当該断線箇所Ｐまでの間に設けられるスイッチング素子には、所定のデータ信号を伝送することができる。しかしながら、当該断線箇所Ｐよりも先端側に設けられるスイッチング素子には、所定のデータ信号を伝送することはできない。
【００６７】
したがって、あるデータ信号線１１１に断線が生じていると、当該断線箇所Ｐから先端側に設けられる絵素電極１５７は、所定の階調電圧を液晶に印加することができず、所定の画像を表示することができない。このため例えば本発明の実施形態にかかるフラットパネルディスプレイがノーマリーブラックタイプの液晶表示パネルであるとすると、当該断線箇所Ｐより先端側に設けられる絵素は、常に黒色表示を行うことになり、結果として画面上に黒線状の表示欠陥が現れることになる。
【００６８】
そこで、当該断線しているデータ信号線１１１の基端部側と先端部側とを、予備配線により電気的に接続することにより、当該断線箇所よりも先端側にデータ信号を伝送できるように修正する。
【００６９】
図３に示すように、断線しているデータ信号線１１１の基端部側と交差している予備配線の第一の部分１２１ａ（または１２１ｂ）とを電気的に接続するとともに、断線しているデータ信号線１１１の先端部側と前記第一の部分１２１ａ（または１２１ｂ）に電気的に接続している予備配線の第四の部分１２４ａ（または１２４ｂ）から分岐する第五の部分１２５とを、電気的に接続する。
【００７０】
具体的には、データ信号線１１１と予備配線の第一の部分１２１ａ（または１２１ｂ）が交差している部分、およびデータ信号線１１１と予備配線の第五の部分１２５が交差している部分に、レーザなどの光エネルギを局所的に照射する。これらの交差部に光エネルギが照射されると、データ信号線１１１、予備配線およびそれらの間の絶縁層が熔解し、データ信号線１１１と予備配線（の第一の部分１２１または第五の部分１２５）とが電気的に接続する。
【００７１】
このため、ソースドライバ２１１が生成したデータ信号は、断線箇所Ｐまでは設計どおりデータ信号線１１１を通じて各スイッチング素子に伝送される。一方、断線箇所よりも先端側に位置するスイッチング素子には、予備配線と、断線箇所よりも先端側のデータ信号線１１１を通じて所定のデータ信号が伝送される。したがって、あるデータ信号線１１１が断線していても、前記のような修正を施すことにより、当該断線しているデータ信号線１１１に連なるすべてのスイッチング素子に所定のデータ信号を伝送することができる。したがって、黒線状の表示欠陥が解消する。
【００７２】
そして、前記のとおり、予備配線の第一の部分１２１と、この第一の部分１２１に電気的に接続する第四の部分１２４には、識別部１２６が設けられるから、修正の工程において、いずれの予備配線の第一の部分１２１と第四および第五の部分１２５とが電気的に接続しているかが容易に判断できる。このため、修正の作業効率の向上を図ることができる。
【００７３】
次に、本発明の実施形態にかかるフラットパネルディスプレイ用の基板を備えるフラットパネルディスプレイの製造方法の全体的な流れについて説明する。
【００７４】
図４は、本発明の実施形態にかかるフラットパネルディスプレイ用の基板の製造方法の各工程を模式的に示した断面図である。それぞれ、図４（ａ）〜（ｆ）は、アクティブ領域１１内の絵素の形成工程を示し、図４（ｇ）〜（ｌ）は、パネル額縁領域１２の引き出し配線の束などの形成工程を示す。また、図４において（ａ）と（ｇ）、（ｂ）と（ｈ）、（ｃ）と（ｉ）、（ｄ）と（ｊ）、（ｅ）と（ｋ）、（ｆ）と（ｌ）は、それぞれ同じ工程を示す。なお、この図４は説明のための模式的なものであり、本発明のいずれかの実施形態にかかる表示パネル用の基板の特定の切断線に沿った断面構造を示したものではない。
【００７５】
本発明の実施形態にかかるフラットパネルディスプレイ用の基板は、ガラスなどの透明基板１５０の片側表面に、所定の導体膜、半導体膜、絶縁膜などが、所定の順序で積層されるように形成される。
【００７６】
まず、図４（ａ）に示すように、アクティブ領域１１内に、走査信号線１１２、補助容量線（図示せず）およびスイッチング素子（すなわち、薄膜トランジスタ）のゲート電極１５１が形成される。この工程において、併せて図４（ｇ）に示すように、パネル額縁領域１２には、データ引き出し配線が形成される。さらにこの工程において、予備配線（図示せず）が形成される。
【００７７】
具体的には、透明基板１５０の片側表面に、クロム、タングステン、モリブデン、アルミニウムなどからなる単層または多層の第一の導体膜が形成される。この第一の導体膜の形成には、公知の各種スパッタリング法などが適用できる。この第一の導体膜の厚さは特に限定されるものではないが、たとえば１００ｎｍ程度の膜厚が適用できる。
【００７８】
そして形成された第一の導体膜は、走査信号線１１２、補助容量線（図示せず）、スイッチング素子のゲート電極１５１、データ引き出し配線のそれぞれのパターンにパターニングされる。この第一の導体膜のパターニングには、ウェットエッチングが適用できる。たとえば第一の導体膜がクロムからなる場合には、（ＮＨ４）２［Ｃｅ（ＮＨ３）６］＋ＨＮＯ３＋Ｈ２Ｏ液を用いたウェットエッチングが適用できる。
【００７９】
これにより、図４（ａ）に示すように、アクティブ領域１１内には、それぞれ所定のパターンの走査信号線１１２、補助容量線（図示せず）、スイッチング素子のゲート電極１５１が形成される。一方、図４（ｇ）に示すように、パネル額縁領域１２には、データ引き出し配線が形成される。データ引き出し配線の形状は前記のとおりである。
【００８０】
次に、図４（ｂ），（ｈ）に示すように、前記工程を経た透明基板１５０の表面に、第一の絶縁膜（すなわち、ゲート絶縁膜）１５５が形成される。第一の絶縁膜１５５の材質には、例えば厚さが３００ｎｍ程度のＳｉＮｘ（窒化シリコン）などが適用できる。そして第一の絶縁膜１５５の材料が、プラズマＣＶＤ法を用いて所定の厚さに堆積させる方法により形成される。第一の絶縁膜１５５が形成されると、図４（ｂ）に示すように、アクティブ領域１１内においては、走査信号線１１２、補助容量線（図示せず）、スイッチング素子のゲート電極１５１が第一の絶縁膜１５５により覆われる。一方、図４（ｈ）に示すように、パネル額縁領域１２においては、データ引き出し配線が第一の絶縁膜１５５に覆われる。
【００８１】
次いで図４（ｃ）に示すように、第一の絶縁膜１５５の表面の所定の箇所（具体的にはゲート電極１５１に重畳する箇所）に、半導体膜１５８とオーミックコンタクト膜１５９とが重ねて形成される。この半導体膜１５８には、たとえば厚さ１００ｎｍ程度のアモルファスシリコンなどが適用できる。また、オーミックコンタクト膜１５９には、たとえば厚さ２０ｎｍ程度のｎ＋型のアモルファスシリコンなどが適用できる。このオーミックコンタクト膜１５９は、後の工程で形成するソース電極１５２やドレイン電極１５４とのオーミックコンタクトを良好にするためのものである。
【００８２】
これらの半導体膜１５８およびオーミックコンタクト膜１５９は、それぞれプラズマＣＶＤ法とフォトリソグラフィ法により形成できる。すなわちまずプラズマＣＶＤ方を用いて半導体膜１５８およびオーミックコンタクト膜１５９の材料が堆積させられる。そして形成した半導体膜１５８の材料とオーミックコンタクト膜１５９の材料とが、フォトリソグラフィ法などを用いて所定の形状にパターニングされる。このパターニングには、たとえばＨＦ＋ＨＮＯ３溶液を用いたウェットエッチングが適用できる。
【００８３】
次いで図４（ｄ）に示すように、アクティブ領域１１内に、データ信号線１１１、ドレイン配線、スイッチング素子のソース電極１５２およびドレイン電極１５４が形成される。そして図４（ｊ）に示すように、パネル額縁領域１２には、この工程において併せて予備配線および遮光膜１６０が形成される。
【００８４】
具体的にはまず、前記までの工程を経た透明基板１５０の表面に、第二の導体膜が形成される。この第二の導体膜は、例えば、チタン、アルミニウム、クロム、モリブデンなどからなる単層または多層の導体膜が適用できる。また、第二の導体膜の形成方法としては、プラズマＣＶＤ法などが適用できる。
【００８５】
そして形成された第二の導体膜が所定の形状にパターニングされる。これにより、アクティブ領域１１内には、それぞれ第二の導体膜からなる所定の形状のデータ信号線１１１、スイッチング素子のソース電極１５２とドレイン電極１５４、ドレイン配線が形成される。一方、パネル額縁領域１２には、第二の導体膜からなる遮光膜１６０および予備配線が形成される。この第二の導体のパターニングにおいては、併せてスイッチング素子のゲート電極１５１に重畳するように形成した半導体膜１５８とオーミックコンタクト膜１５９とが所定の深さだけエッチングされる。
【００８６】
以上の工程を経ると、図４（ｄ）に示すようにアクティブ領域１１内には、スイッチング素子（ゲート電極１５１、ソース電極１５２およびドレイン電極１５４からなる素子）、走査信号線１１２、補助容量線（図示せず）、ドレイン配線およびデータ信号線１１１が形成される。一方、パネル額縁領域１２には、図４（ｊ）に示すように、データ引き出し配線、第一の絶縁膜１５５、予備配線および遮光膜１６０が形成される。
【００８７】
次に、図４（ｅ），（ｋ）のそれぞれに示されるように、第二の絶縁膜（すなわちパッシベーション膜）１５６が形成される。具体的には、前記工程を経た透明基板１５０の表面に第二の絶縁膜１５６が形成され、この形成された第二の絶縁膜１５６がパターニングされる。これにより所定の形状の第二の絶縁膜１５６が得られる。この第二の絶縁膜１５６には、例えば４００ｎｍ程度の厚さの窒化シリコン（ＳｉＮｘ）が適用できる。第二の絶縁膜１５６の形成方法としては、プラズマＣＶＤ法が適用でき、パターニング方法としては、たとえばたとえばＳＦ６＋Ｏ２を用いたドライエッチングが適用できる。
【００８８】
この工程のパターニングでは、先の工程で形成した第一の絶縁膜１５５も同時に所定のパターンにパターニングされる。そしてこの工程のパターニングによって、アクティブ領域１１内においては図４（ｅ）に示すように、ドレイン配線と絵素電極１５７とを電気的に接続する絵素コンタクト部が形成される。また、図示しないが、パネル額縁領域１２のコンタクト部においては、データ引き出し配線を覆う第一の絶縁膜１５５とデータ信号線１１１を覆う第二の絶縁膜１５６とに開口部が形成される。そしてデータ引き出し配線の端部とデータ信号線１１１の端部とが露出させられる。
【００８９】
次に、図４（ｆ）に示すように、アクティブ領域１１内に絵素電極１５７が形成される。また、図示しないが、パネル額縁領域１２のコンタクト部において、露出させられたデータ引き出し配線の端部とデータ信号線１１１の端部とを電気的に接続する導体層１６１が形成される。これにより、所定のデータ引き出し配線と所定のデータ信号線１１１とが電気的に接続される。
【００９０】
アクティブ領域１１内の絵素電極１５７と、データ引き出し配線の端部とデータ信号線１１１の端部とを電気的に接続する導体層１６１は、同じ導体により形成される。具体的にはたとえば、１５０ｎｍ程度の厚さのＩＴＯ（Indium Tin Oxide：インジウム酸化スズ）が適用できる。
【００９１】
具体的にはまず、前記までの工程を経た透明基板１５０の表面に、絵素電極１５７、データ引き出し配線の端部とデータ信号線１１１の端部とを電気的に接続する導体層１６１の材料となる第三の導体膜が形成される。この第三の導体膜の形成方法には、プラズマＣＶＤ法が適用できる。そして形成した第三の導体膜は、絵素電極１５７、データ引き出し配線の端部とデータ信号線１１１の端部とを電気的に接続する導体層１６１のパターンにパターニングされる。この第三の導体膜のパターニングには、ＨＣｌ＋ＨＮＯ３＋Ｈ２Ｏ溶液を用いたウェットエッチングが適用できる。
【００９２】
このパターニングによって、図４（ｆ）に示すように、アクティブ領域１１内には所定の形状の絵素電極１５７が形成される。各絵素電極１５７は、第二の絶縁膜１５６に形成された絵素コンタクト部において、ドレイン配線と電気的に接続する。
【００９３】
以上のような工程を経て、本発明の実施形態にかかるフラットパネルディスプレイ用の基板が得られる。
【００９４】
次に、本発明の実施形態にかかるフラットパネルディスプレイ用の基板を適用したフラットパネルディスプレイの構成と、その製造方法について説明する。
【００９５】
図５は、本発明の実施形態にかかるフラットパネルディスプレイ用の基板を適用したフラットパネルディスプレイの組立体の構成を、模式的に示した斜視図である。図５に示すように、本フラットパネルディスプレイは、ＴＦＴアレイ基板（すなわち本発明の実施形態にかかるフラットパネルディスプレイ用の基板）と、カラーフィルタ（すなわち対向基板）３とを備える。そしてこれらの間に液晶が充填される。本フラットパネルディスプレイの構成には、一般的な液晶表示パネルの構成が適用できるから、詳細な説明は省略する。
【００９６】
前記のとおり、本発明の実施形態にかかるフラットパネルディスプレイ用の基板１には、予備配線の第一の部分１２１、第二の部分１２２、第三の部分１２３、第四の部分１２４、第五の部分１２５が形成される。さらに、ソースドライバ２１１が実装される複数のＴＣＰ２１、これらのＴＣＰ２１に接続されるプリント配線基板２３、ゲートドライバ２２１が実装されるＴＣＰ２２にも予備配線２１２，２２２，２３１が設けられる。そして所定の配線どうしが電気的に接続される。
【００９７】
本フラットパネルディスプレイの製造方法は、ＴＦＴアレイ基板製造工程と、カラーフィルタ製造工程と、パネル（セル）製造工程と、を含む。なお、ＴＦＴアレイ基板製造工程は、前記のとおりである。
【００９８】
カラーフィルタ３の構成と製造方法は次のとおりである。図６は、カラーフィルタ（対向基板）３の構成を模式的に示した図であり、具体的には図６（ａ）はカラーフィルタ（対向基板）３の全体構造を模式的に示した斜視図、図６（ｂ）はカラーフィルタ（対向基板）３に形成される絵素の一個の構成を抜き出して示した平面図、図６（ｃ）は図６（ｂ）のＢ−Ｂ線断面図であって、絵素の断面構造を示した図である。
【００９９】
この図６に示すようにカラーフィルタ（対向基板）３は、ガラスなどからなる透明基板３１の表面にブラックマトリックス３２が形成され、ブラックマトリックス３２の各格子の内側には、赤色、緑色、青色のそれぞれの色の着色感材からなる着色層３３が形成される。そしてこれら各色の着色層３３が形成される格子が、所定の順序で配列される。ブラックマトリックス３２および各色の着色層３３の表面には保護膜が形成され、保護膜の表面には透明電極（共通電極）３５が形成される。透明電極（共通電極）３５の表面には、液晶の配向を制御する配向規制構造物３６が形成される。
【０１００】
カラーフィルタ製造工程には、ブラックマトリックス形成工程と、着色層形成工程と、保護膜形成工程と、透明電極（共通電極）形成工程とが含まれる。
【０１０１】
ブラックマトリックス形成工程の内容は、たとえば樹脂ＢＭ法であれば次のとおりである。まず、透明基板３１の表面にＢＭレジスト（黒色着色剤を含有する感光性樹脂組成物をいう）などが塗布される。次いで塗布されたＢＭレジストがフォトリソグラフィ法などを用いて所定のパターンに形成される。これにより、所定のパターンのブラックマトリックス３２が得られる。なお、ブラックマトリックス形成工程において、ＢＭレジストにより同時に遮光層１６０が形成される場合がある。遮光層１６０は、不要な光が透過することを防止する要素であり、カラーフィルタ（対向基板）３のパネル額縁領域１２に設けられる。
【０１０２】
着色層形成工程においては、カラー表示用の赤色、緑色、青色の各色の着色層３３が形成される。たとえば着色感材法であれば次のとおりである。まず、ブラックマトリックス３２が形成された透明基板３１の表面に、着色感材（感光性材料に所定の色の顔料を分散した溶液をいう）が塗布される。次いで、塗布された着色感材が、フォトリソグラフィ法などを用いて所定のパターンに形成される。そしてこのような工程が、赤色、緑色、青色の各色について行われる。これにより各色の着色層３３が得られる。
【０１０３】
ブラックマトリックス形成工程で用いる方法は、樹脂ＢＭ法に限定されるものではなく、たとえばクロムＢＭ法、重ね合わせ法などの公知の各種方法が適用できる。着色層形成工程で用いる方法も、着色感材法に限定されるものではなく、たとえば印刷法、染色法、電着法、転写法、エッチング法など、公知の各種方法が適用できる。また、先に着色層３３が形成され、その後にブラックマトリックス３２が形成される背面露光法を用いてもよい。
【０１０４】
保護膜形成工程では、ブラックマトリックス３２および着色層３３の表面に、保護膜が形成される。たとえば、スピンコータを用いて前記工程を経た透明基板３１の表面に保護膜材料が塗布される方法（全面塗布法）や、印刷またはフォトリソグラフィ法などを用いて所定のパターンの保護膜が形成される方法（パターニング法）などが適用できる。保護膜材料には、たとえばアクリル樹脂やエポキシ樹脂などが適用できる。
【０１０５】
透明電極（共通電極）膜形成工程においては、保護膜の表面に透明電極（共通電極）３５が形成される。たとえばマスキング法であれば、前記工程を経た透明基板３１の表面にマスクが配置され、スパッタリングなどによってＩＴＯ（Indium Tin Oxide）などを蒸着させることにより透明電極（共通電極）３５が形成される。
【０１０６】
次いで配向規制構造物３６が形成される。この配向規制構造物３６は、たとえばフォトリソグラフィ法などを用いて形成される。前記工程を経た透明基板３１の表面に感光性材料が塗布され、塗布された感光性材料は、フォトマスクを通じて所定のパターンに露光される。そしてその後の現像工程において不要な部分が除去されることにより、所定のパターンの感光性材料が残る。すなわち、所定のパターンの配向規制構造物３６が形成される。
【０１０７】
このような工程を経て、カラーフィルタ（対向基板）３が製造される。
【０１０８】
次いで、パネル（セル）製造工程について説明する。まず、前記工程を経て得たＴＦＴアレイ基板（すなわち本発明の実施形態にかかるフラットパネルディスプレイ用の基板）とカラーフィルタ（対向基板）３のそれぞれの表面に、配向膜が形成される。そして形成された配向膜に配向処理が施される。その後、本発明の実施形態にかかるフラットパネルディスプレイ用の基板とカラーフィルタ（対向基板）３とが貼り合わせられるとともに、これらの間に液晶が充填される。
【０１０９】
本発明の実施形態にかかるフラットパネルディスプレイ用の基板とカラーフィルタ（対向基板）３のそれぞれの表面に、配向膜を形成する方法は次のとおりである。まず配向材塗布装置などを用いて、本発明のいずれかの実施形態にかかる表示パネル用の基板とカラーフィルタ（対向基板）３のそれぞれの表面に配向材が塗布される。配向材とは、配向膜の原料となる物質を含む溶液をいう。配向材塗布装置には、たとえば円圧式印刷装置やインクジェット印刷装置など、従来一般の方法が適用できる。そして塗布された配向材は配向膜焼成装置などを用いて加熱され、焼成される。
【０１１０】
その後、焼成された配向膜に配向処理が施される。この配向処理としては、ラビングロールなどを用いて配向膜の表面に微小な傷をつける方法や、配向膜の表面に紫外線などの光エネルギを照射して配向膜の表面性状を調整する光配向処理など、公知の各種処理方法が適用できる。
【０１１１】
その後、シールパターニング装置などを用いて、本発明の実施形態にかかる表示パネル用の基板とカラーフィルタ（対向基板）３の一方の表面に、シール材が塗布される。
【０１１２】
そしてスペーサ散布装置などを用いて、セルギャップを所定の値に均一に保つためのスペーサが、本発明の実施形態にかかるフラットパネルディスプレイ用の基板とカラーフィルタ（対向基板）３の一方の表面に散布される。そして、液晶滴下装置などを用いて、本発明の実施形態にかかるフラットパネルディスプレイ用の基板とカラーフィルタ（対向基板）３の一方の表面のシール材に囲まれる領域に液晶が滴下される。
【０１１３】
その後、減圧雰囲気下で本発明の実施形態にかかるフラットパネルディスプレイ用の基板とカラーフィルタ（対向基板）３とが貼り合わせられる。なお、シール材を固化させた後に、本発明の実施形態にかかるフラットパネルディスプレイ用の基板とカラーフィルタ（対向基板）３の間に液晶が注入される方法であってもよい。
【０１１４】
このような工程を経て、本発明の実施形態にかかるフラットパネルディスプレイが得られる。その後、製造されたフラットパネルディスプレイの点灯検査が行われる。そして、点灯検査において筋状の表示欠陥の発生が確認され、かつこの表示欠陥がデータ信号線１１１の断線に起因すると考えられる場合には、予備配線を用いた修正を行う。この修正方法は前記のとおりである。
【０１１５】
以上、本発明の実施形態について、図面を参照して詳細に説明したが、本発明は前記実施形態に何ら限定されるものではなく、本発明の趣旨を逸脱しない範囲内において種々の改変が可能であることはいうまでもない。
【０１１６】
たとえば、本発明の実施形態にかかる表示パネル用の基板やカラーフィルタの構成や製造方法は一例であり、前記構成または製造方法に限定されるものではない。
【図面の簡単な説明】
【０１１７】
【図１】本発明の実施形態にかかるフラットパネルディスプレイ用の基板およびこれに接続されるＴＣＰならびにプリント配線基板の構成を模式的に示した平面図である。
【図２】予備配線の一部を拡大して示した模式図であり、（ａ）は予備配線の第一の部分を、（ｂ）は予備配線の第四の部分を示す。
【図３】本発明の実施形態にかかるフラットパネルディスプレイの修正方法を模式的に示した平面図である。
【図４】本発明の実施形態にかかるフラットパネルディスプレイ用の基板の製造方法の各工程を模式的に示した断面図である。
【図５】本発明の実施形態にかかるフラットパネルディスプレイ用の基板を適用したフラットパネルディスプレイの組立体の構成を、模式的に示した斜視図である。
【図６】カラーフィルタ（対向基板）の構成を模式的に示した図であり、（ａ）は全体構造を模式的に示した斜視図、（ｂ）は絵素の一個の構成を抜き出して示した平面図、（ｃ）は（ｂ）のＢ−Ｂ線断面図であって、絵素の断面構造を示した図である。
【図７】ＴＦＴアレイ基板の構成の従来例を示した外観斜視図である。
【符号の説明】
【０１１８】
１  フラットパネルディスプレイ用の基板
１１  アクティブ領域
１１１  データ信号線
１１２  走査信号線
１２  パネル額縁領域
１２１  予備配線の第一の部分
１２２  予備配線の第二の部分
１２３  予備配線の第三の部分
１２４  予備配線の第四の部分
１２５  予備配線の第五の部分
１２６  識別部
１２７  引き出し配線
１２８  コンタクト部
１２９  端子部
１５０  透明基板
１５１  ゲート電極
１５２  ソース電極
１５３  ドレイン電極
１５４  ドレイン配線
１５５  第一の絶縁膜
１５６  第二の絶縁膜
１５７  絵素電極
１５８  半導体膜
１５９  オーミックコンタクト膜
１６０  遮光膜
１６１  導体層
２１  ソースドライバが実装されるＴＣＰ
２１１  ソースドライバ
２１２  予備配線
２２  ゲートドライバが実装されるＴＣＰ
２２１  ゲートドライバ
２２２  予備配線
２３  プリント配線基板
２３１  予備配線
３  カラーフィルタ（対向基板）
３１  透明基板
３２  ブラックマトリックス
３３  着色層
３４  保護膜
３５  透明電極
３６  配向規制構造物
【図１】
2008233506.tif 000003
【図２】
2008233506.tif 000004
【図３】
2008233506.tif 000005
【図４】
2008233506.tif 000006
【図５】
2008233506.tif 000007
【図６】
2008233506.tif 000008
【図７】
2008233506.tif 000009